(57)【要約】【課題】ベッドフレームの側部に手摺りを容易にしかも確実に取付け固定できるようにしたベッド装置を提供することにある。【解決手段】ベッドフレーム１と、ベッドフレームのサイドフレーム２間に架設され幅方向両端部に取付け部材８が設けられた床部材７と、少なくとも一方の取付け部材に一辺がねじ止め固定され他辺の一側面がサイドフレームの外面に対向位置するとともに他辺の他側面に支持具１８が設けられたブラケット１６と、脚部３５を有し、その脚部を支持具に挿入してベッドフレームの側部に設けられる手摺りを具備する。【選択図】      図２
2008110192.tif 000002
【特許請求の範囲】
【請求項１】
ベッドフレームと、
このベッドフレームのサイドフレーム間に架設され幅方向の少なくとも一端部に取付け部材が設けられた床部材と、
少なくとも一方の取付け部材に一辺が固定され他辺の一側面が上記サイドフレームの外面に対向位置するとともに上記他辺の他側面に支持具が設けられたブラケットと、
脚部を有し、その脚部を上記支持具に挿入して上記ベッドフレームの側部に設けられる被取付け体と
を具備したことを特徴とするベッド装置。
【請求項２】
ベッドフレームと、
このベッドフレームのサイドフレーム間に架設され幅方向の少なくとも一端部に取付け部材が設けられた床部材と、
少なくとも一方の取付け部材に一端が固定されたブラケットと、
このブラケットの他端に側面を上記サイドフレームの外面に接触させて取付けられる支持具と、
脚部を有し、その脚部を上記支持具に挿入して上記ベッドフレームの側部に設けられる被取付け体と
を具備したことを特徴とするベッド装置。
【請求項３】
上記ブラケットの一辺は上記取付け部材にねじ止め固定されるようになっていて、このブラケットの一辺には、上記ブラケットの取付け位置を上記床部材の幅方向に調整するための長孔が形成されていることを特徴とする請求項１又は請求項２記載のベッド装置。
【請求項４】
上記ブラケットは、上記床部材の長手方向に対して位置決め調整可能であることを特徴とする請求項１乃至請求項３のいずれかに記載のベッド装置。
【請求項５】
上記被取付け体は一対の脚部を有し、これら脚部を支持する一対の支持具が設けられた一対の上記ブラケットは連結部材によって上記一対の脚部と同じ間隔で連結されていることを特徴とする請求項１又は請求項２記載のベッド装置。
【請求項６】
上記取付け部材は、断面形状がほぼコ字状であって、上記床部材の上面に位置する上辺はこの床部材の幅方向内方に向かって低く傾斜した傾斜面に形成されていることを特徴とする請求項１又は請求項２記載のベッド装置。
【請求項７】
上記取付け部材は断面形状がほぼコ字状であって、その下辺は上記サイドフレームの内面に設けられ上記床部材の幅方向の両端部が係合支持される受け桟の上面に係合し、浮き上がり防止具によって上記受け桟に保持固定されることを特徴とする請求項１又は請求項２記載のベッド装置。
【請求項８】
上記取付け部材の上記床部材の上面に位置する一辺には、上記床部材の幅方向と交差する長手方向に対して上記ブラケットの一辺をねじ止め固定するためのねじ孔が所定間隔で設けられていることを特徴とする請求項１又は請求項２記載のベッド装置。
【請求項９】
上記被取付け体は一対の脚部を有し、この脚部を支持する支持具が設けられた一対のブラケットは連結部材によって一対の脚部と同じ間隔で連結されていることを特徴とする請求項１記載のベッド装置。
【請求項１０】
上記ベッドフレームは、四隅部に設けられた脚体によって高さ調整可能に支持されていることを特徴とする請求項１又は請求項２記載のベッド装置。
【発明の詳細な説明】
【技術分野】
【０００１】
この発明はベッドフレームの側部にたとえば手摺りや側柵などの被取付け体が支持されるベッド装置に関する。
【背景技術】
【０００２】
一般に、ベッド装置は一対のサイドフレームの長手方向一端にヘッドボードが連結され、他端にフットボードが連結されたベッドフレームを有する。このベッドフレームの一対のサイドフレーム間には床部材が上記サイドフレームの内面に設けられた受け桟に幅方向の両端部を係合させて架設されている。そして、この床部材上にマットレスが載置される。
【０００３】
ベッド装置の利用者が老人や体の不自由な人の場合、上記サイドフレームには利用者がマットレス上から起き上がったり、仰臥するときに掴まるための手摺りを設けることがあり、また利用者が就寝中にマットレス上から落ちるのを防止したり、掛け布団がずれ落ちるのを防止するために側柵を設けるなどのことがある。上記側部材には、手摺りや側柵に代わり、利用者が小物類を置くためのテーブルが取付けられるということもある。
【０００４】
上記手摺り、側柵或いはテーブルなどの被取付け体は、利用者の頭部側に設けたり、足部側に設けるなど、取付け位置を変更することが要求されることがあり、さらには不要になった場合には利用者の邪魔にならないようにベッドフレームから取り外すことが要求されることもある。
【０００５】
特許文献１にはベッドフレームのサイドフレームに手摺りを設けることが示されている。すなわち、特許文献１にはサイドフレームの上端面に開口する２つで１組となる取着孔を形成し、この取着孔に逆コ字状の手摺りに設けられた一対の脚部を着脱可能に挿入支持することが示されている。
【特許文献１】特開平１１−３０９０２４号公報
【発明の開示】
【発明が解決しようとする課題】
【０００６】
ところで、ベッド装置を大別すると病院用と家庭用とがあり、病院用のベッド装置はベッドフレームが金属製の場合がほとんどであるため、十分な強度を有する。そのため、金属製のベッドフレームのサイドフレームには手摺りや側柵などを強固に取付けることが可能となる。しかしながら、病院用のベッド装置は、ベッドフレームが金属製であるため、外観的に極めて体裁が悪いので、家庭用のベッド装置として利用するには抵抗が大きい。
【０００７】
一方、家庭用のベッド装置の場合、ベッドフレームのほとんどは木製であって、金属製の病院用のベッド装置に比べて外観的に良好である。しかしながら、特許文献１に示されるように、木製のサイドフレームに取着孔を形成し、その取着孔に脚部を挿入して手摺りを取付ける構造であると、利用者がベッド装置に乗り降りする際などに手摺りを掴んだ利用者の荷重がサイドフレームに加わると、その荷重によって木製のサイドフレームは外方へ撓むということがある。
【０００８】
サイドフレームが外方へ撓めば、上記手摺りも外方へ振れることになるから、利用者に不安感を与えるということがある。  
しかも、サイドフレームに取着孔を形成し、その取着孔に手摺りの脚部を挿入する構造であると、サイドフレームの取着孔が形成された部分は他の部分に比べて強度が大きく低下する。そのため、手摺りに加わる荷重が大きくなった場合にはサイドフレームの取着孔が形成された部分が損傷する虞がある。
【０００９】
この発明は、被取付け部材に加わる利用者の荷重によってフレームのサイドフレームが撓んだり、損傷することがないよう、被取付け部材をフレームに強固に取り付けることができるようにしたベッド装置を提供することにある。
【課題を解決するための手段】
【００１０】
この発明は、ベッドフレームと、
このベッドフレームのサイドフレーム間に架設され幅方向の少なくとも一端部に取付け部材が設けられた床部材と、
この床部材の幅方向両端部に設けられた取付け部材と、
少なくとも一方の取付け部材に一辺が固定され他辺の一側面が上記サイドフレームの外面に対向位置するとともに上記他辺の他側面に支持具が設けられたブラケットと、
脚部を有し、その脚部を上記支持具に挿入して上記ベッドフレームの側部に設けられる被取付け体と
を具備したことを特徴とするベッド装置にある。
【００１１】
この発明は、ベッドフレームと、
このベッドフレームのサイドフレーム間に架設され幅方向の少なくとも一端部に取付け部材が設けられた床部材と、
少なくとも一方の取付け部材に一端が固定されたブラケットと、
このブラケットの他端に側面を上記サイドフレームの外面に接触させて取付けられる支持具と、
脚部を有し、その脚部を上記支持具に挿入して上記ベッドフレームの側部に設けられる被取付け体と
を具備したことを特徴とするベッド装置にある。
【００１２】
上記ブラケットの一辺は上記取付け部材にねじ止め固定されるようになっていて、このブラケットの一辺には、上記ブラケットの取付け位置を上記床部材の幅方向に調整するための長孔が形成されていることが好ましい。
【００１３】
上記取付け部材は、断面形状がほぼコ字状であって、上記床部材の上面に位置する上辺はこの床部材の幅方向内方に向かって低く傾斜した傾斜面に形成されていることが好ましい。
【００１４】
上記ブラケットは、上記床部材の長手方向に対して位置決め調整可能であることが好ましい。
【００１５】
上記被取付け体は一対の脚部を有し、これら脚部を支持する一対の支持具が設けられた一対の上記ブラケットは連結部材によって上記一対の脚部と同じ間隔で連結されていることが好ましい。
【００１６】
上記取付け部材は断面形状がほぼコ字状であって、その下辺は上記サイドフレームの内面に設けられ上記床部材の幅方向の両端部が係合支持される受け桟の上面に係合し、浮き上がり防止具によって上記受け桟に保持固定されることが好ましい。
【００１７】
上記取付け部材の上記床部材の上面に位置する一辺には、上記床部材の幅方向と交差する長手方向に対して上記ブラケットの一辺をねじ止め固定するためのねじ孔が所定間隔で設けられていることが好ましい。
【００１８】
上記被取付け体は一対の脚部を有し、この脚部を支持する支持具を有する一対のブラケットは連結部材によって一対の脚部と同じ間隔で連結されていることが好ましい。
【００１９】
上記ベッドフレームは、四隅部に設けられた脚体によって高さ調整可能に支持されていることが好ましい。
【発明の効果】
【００２０】
請求項１の発明によれば、床部材の幅方向両端部に設けられた取付け部材にブラケットの一辺をねじ止め固定し、このブラケットの他辺の一側面をサイドフレームの外面に対向位置させ、その他辺の他側面に被取付け部材の脚部を挿入支持する支持具を設けた。
【００２１】
そのため、被取付け部材に利用者が掴まるなどして荷重が加わると、その荷重はブラケットの一辺が連結された床部材の取付け部材と、ブラケットの他辺が対向するサイドフレームの外面によって受けられるから、サイドフレームが撓むようなことなく、被取付け部材を強固に取り付けることが可能となる。
【００２２】
請求項２の発明によれば、被取付け部材に利用者が掴まるなどして荷重が加わると、その荷重はブラケットの一端が連結された床部材の取付け部材と、ブラケットの他端に設けられた支持具の側面が接触するサイドフレームの外面によって受けられるから、サイドフレームが撓むようなことなく、被取付け部材を強固に取り付けることが可能となる。
【発明を実施するための最良の形態】
【００２３】
以下、この発明の実施の形態の形態を図面を参照しながら説明する。  
図１乃至図６はこの発明の第１の実施の形態を示し、図１はベッド装置の斜視図である。このベッド装置はベッドフレーム１を備えている。このベッドフレーム１は所定の間隔で平行に離間対向した木製の一対のサイドフレーム２の長手方向一端にヘッドボード３が連結され、他端にフットボード４が連結されて平面形状が矩形枠状となっている。
【００２４】
一対のサイドフレーム２の内面の上下方向の中途部には、図４に示すように受け桟５が長手方向全長にわたって設けられていて、これら受け桟５には上記ベッドフレーム１の長手方向の中途部で分割された金属製の２枚の床部材７が幅方向の両端部を係合させて架設されている。
【００２５】
上記床部材７は、上記ベッドフレーム１の幅方向に離間した一対の取付け部材８を有する。この取付け部材８は、図４に示すように下辺８ａ，側辺８ｂ及び上辺８ｃによって断面形状がほぼコ字状に形成されていて、上記下辺８ａを上記受け桟５の上面に係合させていて、上記上辺８ｃは床部材７の幅方向内方に向かって低く傾斜した傾斜面となっている。
【００２６】
図２（ａ），（ｂ）に示すように、一対の取付け部材８の長手方向両端部には、断面コ字状の端部材９の長手方向両端部が固着され、中途部には角筒からなる複数の横部材１１が両端を上記取付け部材８の側辺８ｂの内面に固着して所定間隔で配置されている。
【００２７】
上記一対の取付け部材８と一対の端部材９とがなす枠内には、複数の鋼線１２を格子状に組んだネット１３が長手方向の両端部を上記端部材９のコ字状の内面に固着して架設されている。そして、２枚の床部材７の上面には図１に鎖線で示すマットレス１４が載置される。
【００２８】
図４に示すように、上記床部材７の一対の取付け部材８の上辺８ｃにはそれぞれ一対の通孔８ｄがベッドフレーム１の長手方向に対して所定間隔で穿設されている。この通孔８ｄに対向する上記上辺８ｃの下面には、２つの対を複数組のナット１５（１組のみ図示）が固着されている。
【００２９】
上記ナット１５の上記取付け部材８の長手方向において隣り合う２組のナット１５には、図５に示すようにほぼＬ字状に屈曲された一対のブラケット１６の一辺がねじ１７によって取付け固定されている。
【００３０】
すなわち、上記ブラケット１６の一辺には図４と図５に示すようにその辺の長手方向に沿って長い長孔１６ａが形成されていて、上記ねじ１７はこの長孔１６ａに挿通されて上記取付け部材８の上辺８ｃに設けられた上記ナット１５に螺合されている。
【００３１】
それによって、上記ブラケット１６の一辺は、上記取付け部材８の幅方向に対して取付け位置の調整ができるようになっている。そして、上記ブラケット１６はその他辺の内面が上記サイドフレーム２の外面に接触するよう取付け位置が調整されている。
【００３２】
たとえば、ベッドフレーム１のサイドフレーム２の厚さが変わった場合などに、上記ブラケット１６の一辺の上記取付け部材８に対する取付け位置を床部材７の幅方向に対して調整することができる。
【００３３】
それによって、サイドフレーム２の厚さが変わっても、ブラケット１６の他辺の内面が上記サイドフレーム２の外面に確実に接触するよう、上記ブラケット１６を取付け部材８に取り付けることができる。
【００３４】
一対の上記ブラケット１６の他辺の外面には支持具１８が取り付けられている。この支持具１８は、図４に示すように断面コ字状で、その上辺に挿入孔１９が形成された保持部材２１と、この保持部材２１の上辺と下辺とに上下端を固着して設けられた支持管２２と、上記保持部材２１と支持管２２を被覆したウレタンフォームなどの弾性材２３とによって形成されている。  
なお、上記保持部材２１の上辺に形成された挿入孔１９、下辺の下面及び保持部材２１の中間辺の外面は弾性材２３に被覆されておらずに露出している。
【００３５】
上記支持具１８の保持部材２１の中間辺には一対のねじ孔２５が形成されている。そして、支持具１８は中間辺の外面をブラケット１６の他辺の外面に接触させ、上記ねじ孔２５に上記ブラケット１６の他辺から皿ビス２６を螺合させることで、上記ブラケット１６の他辺に取付け固定されている。
【００３６】
図５と図６に示すように、一対のブラケット１６は、支持具１８が設けられた他辺が帯板状の連結部材２７によって連結されている。それによって、一対の保持具１８を一体に取り扱うことができるから、床部材７の取付け部材８に対して着脱する際などの作業性を向上させることができる。
【００３７】
図４に示すように、上記床部材７の一対の取付け部材８の上記受け桟５に係合した下辺８ａは断面コ字状の浮き上がり防止具３０によって上記受け桟５に保持固定される。すなわち、浮き上がり防止具３０は上辺を上記取付け部材８の下辺８ａの上面に係合させ、下辺にはナット２８が固着され、このナット２８には止めねじ２９が螺合されている。
【００３８】
そして、この止めねじ２９を締め込むことで、上記取付け部材８が上記受け桟５に固定されるようになっている。それによって、上記床部材７は上記受け桟５から浮き上がるのが阻止される。
【００３９】
図１と図６に示すように、上記ベッドフレーム１の幅方向の一側に設けられた一対の支持具１８には、被取付け部材としての側柵兼用の手摺り３１が設けられている。この手摺り３１は矩形枠状の外枠３２を有し、この外枠３２内には横桟３３及び複数の縦桟３４が設けられているとともに、一対の脚部３５が上記一対の支持具３１と同じ間隔で設けられている。
【００４０】
そして、上記手摺り３１は一対の脚部３５を上記支持具３１の上面に開口した挿入孔１９から支持管２２に挿入することで、上記ベッドフレーム１の一側に着脱可能に保持される。
【００４１】
このような構成のベッド装置によれば、利用者がマットレス１４上で起き上がったり、ベッド装置に乗り降りする際などに手摺り３１に掴まると、手摺り３１の脚部３５が挿入支持された支持具１８に利用者の荷重が加わる。
【００４２】
上記支持具１８はブラケット１６の他辺の外面に取付けられており、この他辺の内面はベッドフレーム１のサイドフレーム２の外面に接触している。さらに、ブラケット１６の一辺は床部材７の取付け部材８の上辺８ｃにねじ止め固定されている。
【００４３】
そのため、手摺り３１に加わる利用者の荷重は、上記ブラケット１６を介してサイドフレーム２と床部材７によって受けられることになるから、サイドフレーム２だけで荷重を受ける場合に比べ、サイドフレーム２に掛かる負担が低減される。
【００４４】
サイドフレーム２に掛かる荷重の負担が低減されれば、ベッドフレーム１が木製であって、そのサイドフレーム２が十分な強度を備えていなくても、このサイドフレーム２がベッドフレーム１の幅方向外方へ大きく撓むのを防止することができる。
【００４５】
しかも、ブラケット１６の支持具１８が設けられた他辺の内面はサイドフレーム２の外面に接触しているだけで、固定されていない。そのため、手摺り３１にベッドフレーム１の幅方向内方に向かう力が作用しても、その力はブラケット１６の他辺から一辺に伝達され、その一辺が連結された床部材７によって受けられるから、その力がサイドフレーム２をベッドフレーム１の幅方向外方に撓ませる力として作用するということもない。
【００４６】
つまり、手摺り３１に作用する利用者の荷重のほとんどはブラケット１６を介して床部材７によって受けられ、サイドフレーム２に加わることがほとんどないから、サイドフレーム２の変形を招くことなく、手摺り３１に加わる荷重を受けることができる。
【００４７】
上記床部材７の幅方向両端部に設けられた取付け部材８の下辺８ａは浮き上がり防止具３０によって受け桟５に固定されている。そのため、手摺り３１に加わる利用者の荷重をブラケット１６を介して床部材７で受けるようにしても、その床部材７が受け桟５上でばたつくことがないから、上記荷重を床部材７によって確実に受けることができる。
【００４８】
上記ブラケット１６の一辺には長孔１６ａが形成され、この長孔１６ａを介してブラケット１６は床部材７の取付け部材８にねじ１７によって取付け固定される。そのため、ブラケット１６の一辺の床部材７の幅方向に対する取付け位置を調整することができるから、上記ブラケット１６の他辺の内面をサイドフレーム２の外面に確実に接触させることができる。
【００４９】
それによって、ブラケット１６の他辺がサイドフレーム２の外面によって屈曲方向に湾曲変形するのが阻止されるから、そのことによってブラケット１６の他辺に設けられた支持具１８に保持された手摺り３１がブラケット１６の他辺を屈曲させてベッドフレーム１の幅方向外方へ傾くのを防止することができる。
【００５０】
床部材７の幅方向両端部に設けられた取付け部材８の上辺８ｃは幅方向内方に向かって傾斜した傾斜面に形成されている。そのため、床部材７上に載置され幅方向両端部の下面が上記上辺８ｃによって支持されたマットレス１４は、傾斜した上辺８ｃによって幅方向にずれ動き難くなる。つまり、マットレス１４は床部材７上に安定した状態で載置することができる。
【００５１】
上記第１の実施の形態では取付け部材８の上辺８ｃの下面にナット１５を固着し、このナット１５にブラケット１６の一辺をねじ１７によって取付け固定するようにしたが、上記ねじ１７が挿通される上記取付け部材８の上辺に形成される通孔８ｄをベッドフレーム１の長手方向に沿って長い長孔とするとともに、上記ナット１５をブラケット１６に対して固定せず、上記ねじ１７を螺合させるようにしてもよい。
【００５２】
このようにすれば、ブラケット１６をベッドフレーム１の長手方向に対して位置決め調整することができるから、ベッドフレーム１の長手方向に対する支治具１８の位置を調整することができる。
【００５３】
とくに、手摺り１の一対の脚部３５を支持する一対の支治具１８の取り扱いを容易化するため、これら支治具１８を連結部材２７によって連結しないことがある。そのような場合、支治具１８の取付け位置をベッドフレーム１の長手方向に対して調整することができるようにすれば、一対の脚部３５の間隔が一定でなくとも、一対の脚部３５を一対の支治具１８によって確実に支持することが可能となる。
【００５４】
なお、ブラケット１６をベッドフレーム１の長手方向に対して位置決め調整可能とする構成は上述した構成に限定されず、他の構成であっても差し支えない。
【００５５】
図７乃至図１１はこの発明の第２の実施の形態を示す。この実施の形態は上記第１の実施の形態とベッドフレーム、支持具及びブラケットの構成が相違している。  
すなわち、この実施の形態のベッドフレーム１Ａは第１の実施の形態のベッドフレーム１に比べて高さ寸法が低く設定されている。上記ベッドフレーム１Ａは、図７乃至図９に示すように第１の実施の形態のサイドフレーム２に比べて高さ寸法が小さな一対のサイドフレーム４１と、これらサイドフレーム４１の長手方向一端と他端とに連結された、サイドフレーム４１と同じ高さ寸法の一対のエンドフレーム４２によって構成されている。上記サイドフレーム４１は縦部材４１ａと横部材４１ｂとによって断面形状がＬ字状となっている。
【００５６】
上記ベッドフレーム４１に支持された一対の床部材７の上面、つまりネット１３上にはそれぞれ平板状の載置板４３が載置されている。各載置板４３は上記床部材７に対して面上ファスナなどの保持部材４４によって着脱可能に保持されている。
【００５７】
そして、これら載置板４３に寝具としての図示しない布団が設けられる。布団に代わり第１の実施の形態のようにマットレス１４を載置する場合、床部材７上に載置板４３を設けなくともよい。
【００５８】
なお、ベッドフレーム１Ａの高さを低くしたため、サイドフレーム４１の内面に設けられる受け桟５の下面と床面や畳面との間に隙間が形成されないから、第１の実施の形態のように床部材７は浮き上がり防止具３０によって上記受け桟５に保持することができない。
【００５９】
ベッドフレーム４１の一側と他側には被取付け部材としての手摺り３１を支持するそれぞれ一対の支持具１１８がブラケット１１６によって取り付けられている。この実施の形態では手摺り３１はベッドフレーム４１の一側だけに設けられているが、その手摺り３１を必要に応じて他側に取り付けたり、或いは両側に設けるようにしてもよい。
【００６０】
上記ブラケット１１６は図１０（ａ）〜（ｃ）と図１１に示すように平面形状が直線状で、側面形状がへの字状に屈曲している。上記ブラケット１１６の一端部には長孔１１６ａが形成され、他端部には上記支持具１１８が取り付けられている。
【００６１】
上記支持具１１８は図１１に示すように支持管４５を有する。この支持管４５は上記ブラケット１１６の他端部に穿設された取付け孔４６に上端が嵌合され、溶接などによって固定されている。この支持管４５の外周面には合成樹脂によって成形されたカバー４７が被着されている。
【００６２】
上記カバー４７は、図１０（ａ）と図１２に示すように内筒体４７ａと外筒体４７ｂとが複数の連結片４７ｃによって十分な強度で一体的に連結されている。上記内筒体４７ａの内面には一対の突起４７ｄが突設され、上記外筒体４７ｂの外周面の一部は平坦面４７ｅに形成されている。この平坦面４７ｅには図１０（ａ），（ｂ）に示すようにシート状のクション部材４８が貼着されている。
【００６３】
上記支持管４５の周壁には一対の係合孔４５ａが穿設されていて、上記内筒体４７ａを上記支持管４５に装着すると、図１０（ａ）に示すように上記突起４７ｄが上記係合孔４５ａに係合して上記カバー４７が上記支持管４５に装着保持される。このとき、上記外筒体４７ｂに形成された平坦面４７ｅは上記ブラケット１１６の一端側を向いている。
【００６４】
上記ブラケット１１６は、その一端部に形成された長孔１１６ａを介して上記ベッドフレーム１Ａの幅方向両側に設けられた取付け部材８の上辺８ｃに形成されたねじ孔１５ａにねじ１７を螺合して取付け固定される。なお、図１０（ａ）ではブラケット１１６に対して取付け部材８が長孔１１６ａを介して相対的に移動した状態を鎖線で示している。
【００６５】
上記ねじ１１７は上記ブラケット１１６の長孔１１６ａに挿通されているから、このブラケット１１６をベッドフレーム１Ａの幅方向に対して位置決め調整可能となっている。それによって、ブラケット１１６は、上記カバー４７の外筒体４７ｂの平坦面４７ｅがサイドフレーム４１の外面に接触するよう、ベッドフレーム１Ａの幅方向に対して位置決めされる。
【００６６】
そして、手摺り３１は、その一対の脚部３５がベッドフレーム１Ａの一側に設けられた一対の支持具１１８の支持管４５に挿入されて支持される。詳細は図示しないが、脚部３５の下端部は上記支持管４５に挿入支持される部分が支持管４５の内径寸法とほぼ同径で、それより上の部分は大径となっている。それによって、脚部３５は上記支持管４５に所定寸法挿入した位置で保持されるようになっている。
【００６７】
なお、第２の実施の形態において、第１の実施の形態と同一部には同一記号を付して説明を省略する。  
このような構成によれば、第１の実施の形態と同様、利用者の荷重が手摺り３１の脚部３５が挿入支持された支持具１１８に加わると、その荷重は上記ブラケット１１６を介して支持具１１８の平坦面４７ｃが接触したサイドフレーム４１の外面と、ブラケット１１６が取り付けられた床部材７の幅方向両端に設けられた取付け部材８によって受けられることになる。そのため、サイドフレーム４１だけで荷重を受ける場合に比べ、サイドフレーム４１に掛かる負担を第１の実施の形態と同様、低減させることができる。
【００６８】
図１３はこの発明の第３の実施の形態を示すベッド装置の斜視図である。この実施の形態のベッドフレーム１Ｂは第２の実施の形態のベッドフレーム１Ａとほぼ同じ構成であるが、ベッドフレーム１Ｂは四隅部に設けられた脚体５１によって支持されているという点で相違している。
【００６９】
上記脚体５１は上記ベッドフレーム１Ｂの下面に上端が連結固定された固定部５１ａと、この固定部５１ａに対して長さ調整可能に設けられた可動部５１ｂによって構成されている。それによって、ベッドフレーム１Ｂの支持高さを利用者の好みなどによって調整することができるようになっている。
【００７０】
なお、この第３の実施の形態において、ベッドフレーム１Ｂの長さ寸法やベッドフレーム１Ｂに設けられる床部材７の数は限定されるものでなく、さらにベッドフレーム１Ｂは第１の実施の形態のベッドフレーム１とほぼ同じ構成であってもよい。
【００７１】
この発明は上記各実施の形態に限定されず、たとえば上記各実施の形態では床部材を金属製としたが、木製であってもよく、その場合、床部材の幅方向両端部に金属製の取付け部材を取付けるようにすれば、ブラケットの一辺若しくは一端部を床部材に強固に連結固定することができる。
【００７２】
第１の実施の形態では床部材の幅方向両端部に設けられた一対の連結部材を浮き上がり防止具によって受け桟に固定するようにしたが、手摺りがベッドフレームの幅方向一側だけに設けられる場合には手摺りが設けられた一側と反対側に位置する幅方向他側の連結部材だけを浮き上がり防止具によって受け桟に固定するようにしてもよい。
【００７３】
さらに、上記各実施の形態では被取付け部材として手摺りや側柵を例に挙げて説明したが、テーブルであってもよく、その場合支持具に支持される脚部は１つのことがあるから、脚部が１つであればベッドフレームの側部に支持具を１つ設けるだけでもよいことになる。
【００７４】
また、第１、第２の実施の形態では床部材が２枚に分割されている場合について説明したが、床部材は１枚であってもよく、或いは３枚以上に分割されていてもよい。
【００７５】
また、床部材の幅方向両端部に取付け部材を設けたが、幅方向の一端部だけに取付け部材が設けられた床部材であっても差し支えない。
【図面の簡単な説明】
【００７６】
【図１】この発明の第１の実施の形態を示すベッド装置の斜視図。
【図２】（ａ）は床部材の平面図、（ｂ）は同じく側面図。
【図３】床部材の幅方向の一端部を拡大して示す側面図。
【図４】ブラケットと床部材の連結構造を示す断面図。
【図５】床部材の取付け部材に一対の支持具を取付けた状態を示す斜視図。
【図６】ベッドフレームの手摺りが取付けられた部分を示す正面図。
【図７】この発明の第２の実施の形態のベッド装置を示す斜視図。
【図８】同じく平面図。
【図９】ベッドフレーも幅方向に沿う断面図。
【図１０】（ａ）〜（ｃ）はブラケット及びこのブラケットの端部に設けられた支持具を示す三面図。
【図１１】ブラケットの端部に支持具の支持管が取り付けられた状態を示す断面図。
【図１２】支持管に装着されるカバーの横断面図。
【図１３】この発明の第３の実施の形態を示すベッド装置の斜視図。
【符号の説明】
【００７７】
１，１Ａ，１Ｂ…ベッドフレーム、２，４１…サイドフレーム、５…受け桟、７…床部材、８…取付け部材、１６，１１６…ブラケット、１８，１１８…支持具、２７…浮き上がり防止部材、３１…手摺り（被取付け体）、３５…脚部。
【図１】
2008110192.tif 000003
【図２】
2008110192.tif 000004
【図３】
2008110192.tif 000005
【図４】
2008110192.tif 000006
【図５】
2008110192.tif 000007
【図６】
2008110192.tif 000008
【図７】
2008110192.tif 000009
【図８】
2008110192.tif 000010
【図９】
2008110192.tif 000011
【図１０】
2008110192.tif 000012
【図１１】
2008110192.tif 000013
【図１２】
2008110192.tif 000014
【図１３】
2008110192.tif 000015